(57)【要約】  隣接して設けられたジャック対の間の信号をループプラグするために同軸通信ジャック（１２）と共に使うためのループプラグ（１００）。このループプラグはモールドされた非導電性ハイジング（１０８）を有する。このハウジングは同一ダイカストで、導電性の、内部ハウジング（１０６）の半部品の対でフィットしている。外部導電バレル（１０２）の対は内部ハウジングに設けられ、同内部ハウジングから延在している。前記バレルは間隔を隔てて設けられ、嵌め込まれるジャックの対の間隔に合わせて設けられる。つながっている中央導電体（１０４）は２つの導電バレルの間であって、その内部に延在し、両バレルから電気的に絶縁されている。バレルと中央伝導体はジャック対と対応するように構成される。【選択図】図７
2008529240.tif 000002
【特許請求の範囲】
【請求項１】
ハウジングの前面でハウジングを通り第１と第２の開口の間に延在するループバック通路を形成する第１と第２の同一の半部品を有する導電性ハウジングと、
ループバック通路に配置されたＵ字形を持ち、第１と第２の開口から延在する第１と第２の端部を有する中央導電体と、
少なくとも前記中央導電体の部分の周りの絶縁体と、
ハウジングに設けられ、ハウジングと導電接触する、分離された第１と第２の導電バレルであって、前記第１と第２の導電バレルは中央導電体の第１と第２の端部の周りに設けられ、前記第１と第２の導電バレルはハウジングの第１と第２の開口から相互に平行に延在しており、絶縁体は中央導電体を、第１と第２の導電バレルとの接触から分離する第１と第２の導電バレルと、
ハウジングに設けられた非導通ハンドルであって、ハウジングの第１と第２の半部品がハンドルにより規定されるポケットに押し込まれる非導電ハンドルとを、
有するループプラグ。
【請求項２】
前面を除き、ハウジングはハンドルにより完全に取囲まれる請求項１に記載のループプラグ。
【請求項３】
ハウジングの半分は溝部分と隆起部分を持ち、ハウジングの半分の溝部分と隆起部分は、ハウジングの他の半分の溝部分と隆起部分にそれぞれインターロックする請求項１に記載のループプラグ。
【請求項４】
第１と第２の半部品は中央導電体により規定される面を横断する方向に、各々中央領域を通る開口を持つ請求項１に記載のループプラグ。
【請求項５】
絶縁体が２つの絶縁部材を有し、各絶縁部材は第１と第２の導電バレル内において中央導電体の周囲に設けられる請求項１に記載のループプラグ。
【請求項６】
各絶縁部材は相互に中央導電体の反対側に設けられる同一の半部品を有している請求項５に記載のループプラグ。
【請求項７】
ハウジングの背面は前面に反対の方向に面する丸い外部面を有する請求項１に記載のループプラグ。
【請求項８】
ハンドルは、第１と第２の開口の間に延在する軸に平行で第１の大きい大きさを持ち、ハンドルは第１と第２の大きさより小さいネック部分を持ち、ハンドルはネック部分より大きい大きさの末端部分を持つ請求項１に記載のループプラグ。
【請求項９】
ハンドルはハウジングを受け入れるためのポケットを規定し、ハンドルは複数の開口を規定し、ハウジングは複数の突出部を規定し、各突出部は複数の開口の内の１つに受け入れられる、請求項１のループプラグ。
【請求項１０】
ハンドルは、ハウジングの前面に反対の端部の背面にプラグイン表示部材を有する請求項１に記載のループプラグ。
【請求項１１】
導電バレルとハウジングとの組合せ構成はハウジングとバレル上の平坦部(flats)とバレル、ハウジング上のショルダを含み、バレルの回転とバレルの軸方向移動が防止される、請求項１に記載のループプラグ。
【請求項１２】
ハウジングの前面でハウジングを通り第１と第２の開口の間に延在するループバック通路を形成する第１と第２の半部品を有する導電性ハウジングと、
ループバック通路に配置されたＵ字形を持ち、第１と第２の開口から延在する第１と第２の端部を有する中央導電体と、
少なくとも前記中央導電体の部分の周りの絶縁体と、
ハウジングに設けられ、ハウジングと導電接触する第１と第２の導電バレルであって、前記第１と第２の導電バレルは中央導電体の第１と第２の端部の周りに設けられ、前記第１と第２の導電バレルはハウジングの第１と第２の開口から相互に平行に延在しており、絶縁体は中央導電体を、第１と第２の導電バレルとの接触から分離する第１と第２の導電バレルと、
ハウジングに設けられた非導電ハンドルとを、
有するループプラグ。
【請求項１３】
ハンドルはハウジングに取り付けられている請求項１２に記載のループプラグ。
【請求項１４】
ハンドルは、ハウジングの背面に隣接する４側面のハウジングを取り囲むポケットを規定する請求項１２に記載のループプラグ。
【請求項１５】
前面を除き、ハウジングはハンドルにより完全に取囲まれる請求項１４に記載のループプラグ。
【請求項１６】
ハウジングの第１と第２の半部品は同一である請求項１２に記載のループプラグ。
【請求項１７】
ハウジングの各半部品はそれぞれ溝部分と隆起部分を持ち、ハウジングの半部品の溝部分と隆起部分は、ハウジングの他の半部品の溝部分と隆起部分にそれぞれインターロックする請求項１２に記載のループプラグ。
【請求項１８】
ハウジングの第１と第２の半部品はハンドルのポケットに受け入れられ、スナップ動作でポケット内に保持される請求項１２に記載のループプラグ。
【請求項１９】
第１と第２の半部品は中央導電体により規定される面を横断する方向に、各々中央領域を通る開口を持つ請求項１に記載のループプラグ。
【請求項２０】
絶縁体が２つの絶縁部材を有し、各絶縁部材は第１と第２の導電バレル内において中央導電体の周囲に設けられる請求項１に記載のループプラグ。
【請求項２１】
各絶縁部材は相互に中央導電体の反対側に設けられる同一の半部品を有している請求項１２に記載のループプラグ。
【請求項２２】
ハウジングの背面は前面と反対の方向に面する丸い外部面を有する請求項１２に記載のループプラグ。
【請求項２３】
ハンドルは、第１と第２の開口の間に延在する軸に平行で第１の大きい大きさを持ち、ハンドルは第１と第２の主要な大きさより小さいネック部分を持ち、ハンドルはネック部分より大きい大きさの末端部分を持つ請求項１２に記載のループプラグ。
【請求項２４】
ハンドルはハウジングを受け入れるためのポケットを規定し、ハンドルは複数の開口を規定し、ハウジングは複数の突出部を規定し、各突出部は複数の開口の内の１つに受け入れられる、請求項１２のループプラグ。
【請求項２５】
ハンドルは、ハウジングの前面に反対の端部の背面にプラグイン表示部材を有する請求項１２に記載のループプラグ。
【請求項２６】
導電バレルとハウジングとの組合せ構成はハウジングとバレル上の平坦部と、ハウジング上のショルダを含み、バレルの回転とバレルの軸方向移動が防止される、請求項１２に記載のループプラグ。
【発明の詳細な説明】
【技術分野】
【０００１】
本発明は放送通信の分野の技術に関する。
【背景技術】
【０００２】
放送通信の分野では、同軸通信回路は相互に関連しており、例えば送信回路、受信回路ペアのような、回路対（pairs of circuits）を形成している。これら回路対は、例えば、カメラ、マイクロフォン又は他の装置のような信号生成装置を、例えばミキサ、アンプ又は他の装置等の信号処理装置に接続するのに使われる。幾つかの設備（installations）においては、複数の信号生成装置及び複数の信号処理装置が存在し、回路対はこれら装置のそれぞれに接続延長されてもよい。必要とされる特定の動作のために、複数の装置からの回路対はパネル又は他の接続インターフェースに向けて接続され、信号生成装置が処理装置に接続することを可能にしている。パネル又はインターフェース装置において、これら回路は、ジャック又はプラグのようなコネクタで終端している。
【発明の開示】
【発明が解決しようとする課題】
【０００３】
上記設備において、複数個の装置の回路対は他の装置と接続されていないことがある。このような場合、接続されていない装置にとって、同装置により信号が生成され、ループバックされる送信回路に伝送され、受信回路を介して同装置に再送されることが望ましい。このルーピングは対のプラグ又はジャック（a mating plug and jack）を持つケーブルを伴ってよい。前記プラグ又はジャックは、パネル又はインターフェース装置において各回路に接続される。或いは、もし回路対が既知の間隔及びサイズで相互に直接的に隣接して配置されるならば、ループプラグを回路に接続して使用してよい。その際、前記ループプラグは適当なプラグ又はジャックを有して回路のジャック又はプラグとインターフェースするものである。
【０００４】
このようなループプラグに対する改良が望まれている。
【課題を解決するための手段】
【０００５】
本発明のループプラグは、ハウジングの前面でハウジングを通過して第１と第２の開口の間に延在するループバック通路（loop back passage）を形成する第１と第２の同一の半部品(halves)を有する導電性(conductive)ハウジングを有している。Ｕ字形を持つ中央導電体はループバック通路において配置され、第１と第２の開口から延在する第１と第２の端部を有する。絶縁体は少なくとも前記中央導電体の部分の周りに延在する。第１と第２の導電バレルはハウジングに設けられ、ハウジングと導電接触する。第１と第２の導電バレルは中央導体の第１と第２の端部の１つの周りに設けられる。
第１と第２の導電バレルはハウジングの第１と第２の開口から相互に平行に延在している。絶縁体は第１と第２の導電バレルとの接触から中央導電体を分離する。非導通ハンドルがハウジングに設けられている。
【発明を実施するための最良の形態】
【０００６】
図面を参照して、本発明の実施例について詳細に説明する。可能な限り全図面に亘って同一の符合が同一部分又は類似の部分に使用される。
【０００７】
図１において、パネルアセンブリ１０は、ペア１４に配置される複数のジャック１２を有している。各ジャック１２はフロントエンド１６とリアエンド２２を有し、電気信号を生成または処理する装置に接続される。複数のフロントエンド１６は前面１８の複数の開口２０の内の１つを通ってアクセス可能である。前面１８はパネルフレーム２４に搭載され、又は同フレーム２４と一体的に形成されている。
【０００８】
図２乃至図１９はループプラグの三つの実施例を示す。これらループプラグは、ペア１４の両ジャック１２のフロントエンド１６を接続するものである。図２乃至図７に示されるループプラグ１００は対の複数の導電性バレル１０２を有している。それらにおいて、中央電気導電体１０４が設けられている。複数バレル１０２は開口２０を通って対となるフロントエンド１６と十分間隔を取って配置され、この間隔で保持される。又、複数バレル１０２はダイカーストの内部ハウジング１０６内において設けられている。内部ハウジング１０６は一対の同一の部品又は半部品(halves)１１６で構成されている。これらの詳細については以下の図面で示す。この内部ハウジング１０６は外側ハウジング１０８内において設けられている。ユーザが安定して握れるように、外側ハウジング１０８はグリップポーション（grip portion）１１０を有している。外側ハウジング１０８は両側に開口１１２を有している。開口１１２は各内部半部品１１６から延長しているタブ部分（tab portion）１１８を受け入れている。グリップ部分１１０には表示部分１１４がある。パネルアセンブリ１０の前面に立てば、ユーザはこの表示部分１１４を見ることができる。
【０００９】
図６を参照すると、各バレル１０２の中央電気導電体１０４は、内部ハウジング半部品１１６で規定される開口１２６内に延在する連続ループプラグ導電体１２０の両端を形成する。開口１２６はＵ字形でループバック通路を規定している。一対の絶縁体１２２はループ導電体１２０をバレル内１０２で支持し、中央導電体とバレルを電気的に絶縁している。内部ハウジング１０６は外部ハウジング１０８により規定される開口部又はポケット１２４内に設けられている。
【００１０】
次に図６と７を参照すると、複数のバレル１０２は端部１３０を有している。この端部１３０は開口１２６と適合する。開口１２６は、内部ハウジング半部品１１６の内部面における凹部で形成される。絶縁体１２２は２つの同一の部品又は半部品１２８から形成されてもよい。
【００１１】
図８乃至図１３はループプラグの第２実施例である。ループプラグ２００は、バレル２０２を除き、一般的に前記ループプラグ１００と同一に形成されている。バレル２０２は、タイプ、形状及びフォーマットが異なるフロントエンド１６（ジャック１２の）に対応するように形成される。フロントエンド１６に対し、標準ジャック、ミニジャック、中間サイズのジャック（mid-sized jacks）又はＭＵＳＡジャックを含め、多様な標準サイズとフォーマットが存在する。ここで説明した種々のループプラグは種々のフォーマットとサイズのフロントエンド１６に適合するように形成されている。ループプラグに関しては、幾つかの実施例では雄雌組み合わせ定義（gender definition）に適合していないかもしれないが、開口２０を通して前面１８に存在するフロントエンドの中央導電体と外部バレルとに対応して形成されていると理解すべきである。
【００１２】
ループプラグ２００は内部ハウジング２０６とハウジング半部品２１６の第２の実施例を有している。ハウジング２０６はバレル２０２を受け入れる大きさである。バレル２０２は、バレル１０２の対応する端部１３０とは異なる大きさの、対応する端部２３０を有してもよい。更に、バレル２０２は、異なるサイズ、フォーマットのジャックと適合するように異なって間隔をあけてもよい。連続ループ導電体２２０はバレル２０２内部に延在する２つの端部２０４を有し、絶縁体１２２により電気的に絶縁されて設けられている。内部ハウジング２０６はループ導電体２２０を受け入れるための内部開口２２６を規定している。内部ハウジング２０６は外部ハウジング１０８の開口１２４内に受け入れられ、内部ハウジング２０６は開口１１２内に受け入れられるタブ部分(opposing tab portions)１１８を有している。
【００１３】
図１４乃至図１９を参照して、ループプラグの第３実施例を説明する。ループプラグ３００は、ジャック対１４の前端部１６と咬み合うための一対のバレル３０２及び、ジャック対１４のフロントエンド１６と適合するためのバレル３０２の内部に中央導電体３０４を有している。上記の通り、バレル３０２は異なるサイズ、スタイル、又はフォーマットのフロントエンド１６と適合するようなサイズとされ、間隔が設けられる。半部品３１６の対を有している内部ハウジング３０６はバレル３０２を保持している。両端３０４を持つ連続ループプラグ導電体３２０は内部ハウジング３０６の開口３２６内部に設けられている。内部ハウジング３０６は外部ハウジング１０８の開口１２４内に設けられている。半部品３１６は凹部３３２を持つ。凹部３３２は開口３２６を規定する。又、開口３２６はバレル３０２の対応端部３３０を受け入れる。
【００１４】
図２０乃至図２７は外部ハウジング１０８を示す。外部ハウジングはモールドされるか、プラスチックのようなより軟性の絶縁物質で形成されることが好ましい。グリップ部分１１０は表示部分１１４を受け入れるために凹部１３６を有している。例えば、図３、図６、図７を参照されたい。表示部分１１４はカラーコード化されたプラスチックプレートで、パチンと押し込むことが出来る。チャネル１３８は開口１２４の上部と底部に沿って形成されている。
【００１５】
図２８乃至図３６は半部品１１６を示す。凹部１３２は、開口１４３を規定する対応端部１４０を有している。開口１４３はバレル１０２の対応端部１３０を受け入れ、嵌め込めるような大きさになっている。開口１４２は凹部１３２のカーブの間で中央に配置されている。開口１４２は止め具を挿入し内部ハウジング１０６を一緒に保持するようにして使用してもよいが、外部ハウジング１０８は内部ハウジング１０６の止め具の必要性としない大きさとなっている。図３７は、スクリュー４０２とナット４０４を持つ、ハウジングバルブ１１６を保持するための止め具システムを示す。
【００１６】
ハウジング半部品１１６は、複数バレル１０２を電気的に接続する導電性金属材料のダイカーストであることが好ましい。ハウジング半部品１１６内部の中心に開口１４２を配置あうることにより、鋳造プロセスにより形成される壁の厚みの一様性が改善される。各ハウジング半部品１１６はタブ部分１１８を持つ。リブ１４６はハウジング半部品１１６の上部分及び底部分の端部から延在しており、外部ハウジング１０８の開口１２４のチャネル１３８内で受け入れられている。複数のランプ状の隆起部（ridge）は各リブ１４６の上部に設けてよく、タブ部分１１８が外部ハウジング１０８に嵌合し、開口１２４内において内部ハウジング１０６を保持するのを手助けする。
【００１７】
各ハウジング半部品１１６は、別のハウジング半部品１１６の内側面１４８に嵌め込み、内部ハウジング１０６を形成する内側面１４８を有している。内側面１４８に対する外側面１５０はタブ部分１１８を有している。凹部１３２の外端部に隣接するハウジング半部品１１６の内側面１４８上に、外部溝１５０と対応する隆起部１５２（内部ハウジング１１６を形成する）が設けられ、内部ハウジング１１６を形成する。
同様に、内部溝１５４と隆起部１５６は凹部１３２の内端部に隣接して設けられる。これら溝と隆起部は共同して、内部ハウジング１１の開口１２６の周りにインターフェースを形成している。後部面１４７は一般的に丸く、凹部１３２の形状に追従している。
【００１８】
ハウジング半部品１１６とバレル１０２は対応するインターフェースを有している。このインターフェースはバレル１０２がハウジング半部品１１６に固定されるように保持する。ハウジング半部品１１６はバレル１０２の対応する端部１３０上で平坦部（flats）１３７と対応する。対応するインターフェースはバレル１０２の回転を防止する。ハウジング半部品上のショルダー（shoulders）１４１はバレル１０２が軸上で移動しないようにする。一旦対応すると、バレル１０２は面１４５の前の開口１４３から外部に突き出る。
【００１９】
上記の説明、実施例とデータは本発明の製造と使用についての完全な説明を提供する。本発明の多数の実施例は本発明の技術的思想と範囲を逸脱することなく、行うことができ、本発明は特許請求の範囲に存在する。
【図面の簡単な説明】
【００２０】
【図１】パネルの前面を通してアクセスすることができる複数のジャックの対を持つ従来技術の同軸ケーブル接続パネルの斜視図である。
【図２】図１の接続パネルに設けられるジャックの接続対のためのループプラグの第１の実施例の第１の斜視図である。
【図３】図２のループプラグの第２の斜視図である。
【図４】図２のループプラグの側面図である。
【図５】図２のループプラグの端部から見た図である。
【図６】図２のループプラグの横断面図である。
【図７】図２のループプラグの分解斜視図である。
【図８】図１の接続パネルに設けられるジャックの接続対のためのループプラグの第２の実施例の第１斜視図である。
【図９】図８のループプラグの第２の斜視図である。
【図１０】図８のループプラグの側面図である。
【図１１】図８のループプラグの端部から見た図である。
【図１２】図８のループプラグの横断面図である。
【図１３】図８のループプラグの分解斜視図である。
【図１４】図１の接続パネルに設けられるジャックの接続対のためのループプラグの第３の実施例の第１斜視図である。
【図１５】図１４のループプラグの第２の斜視図である。
【図１６】図１４のループプラグの側面図である。
【図１７】図１４のループプラグの端部から見た図である。
【図１８】図１４のループプラグの横断面図である。
【図１９】図１４のループプラグの分解斜視図である。
【図２０】図２乃至図１９に示されるループプラグの実施例を使うための外部シェルの第１斜視図である。
【図２１】図２０の外部シェルの第２の斜視図である。
【図２２】図２０の外部シェルの端部からみた第１の図である。
【図２３】図２０の外部シェルの端部からみた第２の図である。
【図２４】図２０の外部シェルの横断面図である。
【図２５】図２０の外部シェルの上面図である。
【図２６】図２０の外部シェルの側面図である。
【図２７】図２０の外部シェルの上部断面図である。
【図２８】図２乃至図７に示されるループプラグの実施例を使うための半部品の第１斜視図である。
【図２９】図２８の半部品の第２の斜視図である。
【図３０】図２８の半部品の第１の側面図である。
【図３１】図２８の半部品の第２の側面図である。
【図３２】図２８の半部品の端部から見た第１の図である。
【図３３】図２８の半部品の端部から見た第２の図である。
【図３４】図２８の半部品の上面図である。
【図３５】図３１の半部品の部分（楕円ラベル３５により表示される）の詳細図である。
【図３６】図３１の半部品の部分（楕円ラベル３６により表示される）の詳細図である。
【図３７】半部品を一緒に保持するための結合システムを示す図７のような分解斜視図である。
【図１】
2008529240.tif 000003
【図２】
2008529240.tif 000004
【図３】
2008529240.tif 000005
【図４】
2008529240.tif 000006
【図５】
2008529240.tif 000007
【図６】
2008529240.tif 000008
【図７】
2008529240.tif 000009
【図８】
2008529240.tif 000010
【図９】
2008529240.tif 000011
【図１０】
2008529240.tif 000012
【図１１】
2008529240.tif 000013
【図１２】
2008529240.tif 000014
【図１３】
2008529240.tif 000015
【図１４】
2008529240.tif 000016
【図１５】
2008529240.tif 000017
【図１６】
2008529240.tif 000018
【図１７】
2008529240.tif 000019
【図１８】
2008529240.tif 000020
【図１９】
2008529240.tif 000021
【図２０】
2008529240.tif 000022
【図２１】
2008529240.tif 000023
【図２２】
2008529240.tif 000024
【図２３】
2008529240.tif 000025
【図２４】
2008529240.tif 000026
【図２５】
2008529240.tif 000027
【図２６】
2008529240.tif 000028
【図２７】
2008529240.tif 000029
【図２８】
2008529240.tif 000030
【図２９】
2008529240.tif 000031
【図３０】
2008529240.tif 000032
【図３１】
2008529240.tif 000033
【図３２】
2008529240.tif 000034
【図３３】
2008529240.tif 000035
【図３４】
2008529240.tif 000036
【図３５】
2008529240.tif 000037
【図３６】
2008529240.tif 000038
【図３７】
2008529240.tif 000039
【国際調査報告】
2008529240.tif 000040
2008529240.tif 000041
2008529240.tif 000042